(57)【要約】【課題】  液晶表示装置等のホールド型表示装置の「動きぼけ」を改善し、かつ輝度の低下を軽減する画像処理装置及びプログラムを提供する。【解決手段】    本発明に係る画像処理装置１０は、入力された現画像と参照画像との間における所定領域の画素の画素値の変化を検出する検出部１２と、検出部１２で画素値の変化が検出された現画像の所定領域の画素の画素値を、所定のパターンに基づいて変換する画素値変換部１３とを具備する。  【選択図】  図１
2007101694.tif 000002
【特許請求の範囲】
【請求項１】
入力された画像を表示するための処理を行う画像処理装置であって、
入力された現画像と参照画像との間における所定領域の画素の画素値の変化を検出する検出部と、
前記検出部で前記画素値の変化が検出された前記現画像の所定領域の画素の画素値を、所定のパターンに基づいて変換する画素値変換部と
を具備することを特徴とする画像処理装置。
【請求項２】
前記検出部は、前記現画像と前記参照画像との間における前記所定領域の画素の画素値の変化を変化量として検出し、
前記画素値変換部は、前記変化量が所定の値よりも大きい前記現画像の前記所定領域の画素の画素値を、所定のパターンに基づいて、黒色値に変換することを特徴とする請求項１に記載の画像処理装置。
【請求項３】
前記検出部は、前記現画像と前記参照画像との間における前記所定領域の画素の画素値の変化量を、前記現画像と前記参照画像の間における共通の前記所定領域の各画素の画素値の差分値として検出することを特徴とする請求項２に記載の画像処理装置。
【請求項４】
前記検出部は、前記現画像と前記参照画像との間における前記所定領域の画素の前記画素値の変化量を、前記現画像の前記所定領域と前記参照画像の前記所定領域との間における動きベクトル量として検出することを特徴とする請求項２に記載の画像処理装置。
【請求項５】
前記画素値変換部が、前記現画像における一つ又は複数の画素を特定する第１のパターンと、第１のパターンとは異なる一つ又は複数の画素を特定する第２のパターンとを記憶し、前記第１のパターン又は前記第２のパターンを交互に選択して現画像と参照画像との間における画素を特定し、特定した画素の画素値の前記変化量が所定の値よりも大きい前記現画像の前記所定領域の画素の画素値を黒色値に変換することを特徴とする請求項２に記載の画像処理装置。
【請求項６】
前記画素値変換部が、前記検出部によって検出される前記所定領域の画素の画素値の差分値に基づいて算出される画素値に、前記現画像の前記画素値を変換することを特徴とする請求項３に記載の画像処理装置。
【請求項７】
前記画素値変換部が、前記検出部によって検出される前記所定領域の画素の画素値の動きベクトル量に基づいて算出される画素値に、前記現画像の前記画素値を変換することを特徴とする請求項４に記載の画像処理装置。
【請求項８】
コンピュータに、
入力された現画像と参照画像との間における所定領域の画素の画素値の変化を検出する検出部と、
前記検出部で前記画素値の変化が検出された前記現画像の所定領域の画素の画素値を、所定のパターンに基づいて変換する画素値変換部と
を具備する画像処理装置として機能させるプログラム。
【発明の詳細な説明】
【技術分野】
【０００１】
本発明は、入力された画像を表示するための画像処理装置及びプログラムに関する。
【背景技術】
【０００２】
一般的に、液晶表示装置は、複数の画像（フレーム又はフィールド）によって構成される動画像を画面に表示する場合、画像を所定の時間保持（ホールド）しながら順次画面に表示するように構成されており、ホールド型表示装置と呼ばれている。
【０００３】
また、上述した液晶表示装置に代表されるホールド型表示装置には、動画像の表示に際して、表示される対象物がぼけて見える「動きぼけ」を生じるという問題がある。
【０００４】
液晶表示装置における「動きぼけ」の原因は、人間の目の特性によるものであると考えられている。具体的には、人間が液晶表示装置に表示される動画像を見つめる場合、人間の目が、直前の画像と現在の画像との間で表示される画像の輝度を積分するため、動画像の中で移動するように表示される対象物がぼやけて見えてしまうと考えられている。
【０００５】
したがって、「動きぼけ」は、動画像であっても、表示される対象物が移動しない場合は、生じない問題である。
【０００６】
また、上述した「動きぼけ」は、黒画像挿入技術を適用することで解消できると考えられている。
【０００７】
黒画像挿入技術の一例を、図１３を参照して説明する。
【０００８】
図１３は、液晶表示装置の画面に動画像を表示する際、時間の経過に伴って表示される画像（Z１乃至Z５）の概念図を示している。
【０００９】
図１３の例に示す黒画像挿入技術は、動画像の中で表示されるそれぞれの画像（例えばZ1とZ３とZ５）間に、画面全体を黒色に表示させる黒画像（例えばZ２とZ４）を挿入することで、人間の目に画像の輝度が積分されることを防いでいる。
【００１０】
また、他の黒画像挿入技術としては、画面全体を黒色に表示させるのではなく、画面を複数の領域に分割し、ランダムに分割した画面を黒色に表示させるものも提案されている（例えば特許文献１参照）。
【特許文献１】特開２００５−１０５７９号公報
【発明の開示】
【発明が解決しようとする課題】
【００１１】
しかしながら、上述した黒画像挿入技術は、動画像を表示する際、表示される対象物が移動する又は移動しないにかかわらず、それぞれの画像間に黒画像を挿入するので、動画像の輝度を低下させる場合があった。
【００１２】
そこで、本発明は以上の点に鑑みてなされたもので、液晶表示装置等のホールド型表示装置の「動きぼけ」を改善し、かつ輝度の低下を軽減する画像処理装置及びプログラムを提供することを目的とする。
【課題を解決するための手段】
【００１３】
本発明の第１の特徴は、入力された画像を表示するための処理を行う画像処理装置であって、入力された現画像と参照画像との間における所定領域の画素の画素値の変化を検出する検出部と、検出部で画素値の変化が検出された現画像の所定領域の画素の画素値を、所定のパターンに基づいて変換する画素値変換部とを具備することを要旨とするものである。
【００１４】
また、本発明の第１の特徴において、検出部は、現画像と参照画像との間における所定領域の画素の画素値の変化を変化量として検出し、画素値変換部は、変化量が所定の値よりも大きい現画像の所定領域の画素の画素値を、所定のパターンに基づいて、黒色値に変換してもよい。
【００１５】
また、本発明第１の特徴において、検出部は、現画像と参照画像との間における所定領域の画素の画素値の変化量を、現画像と参照画像の間における共通の所定領域の各画素の画素値の差分値として検出してもよい。
【００１６】
また、本発明第１の特徴において、検出部は、現画像と参照画像との間における所定領域の画素の画素値の変化量を、現画像の所定領域と参照画像の所定領域との間における動きベクトル量として検出してもよい。
【００１７】
また、本発明第１の特徴において、画素値変換部が、現画像における一つ又は複数の画素を特定する第１のパターンと、第１のパターンとは異なる一つ又は複数の画素を特定する第２のパターンとを記憶し、第１のパターン又は第２のパターンを交互に選択して現画像と参照画像との間における画素を特定し、特定した画素の画素値の変化量が所定の値よりも大きい現画像の所定領域の画素の画素値を黒色値に変換してもよい。
【００１８】
かかる発明によれば、現画像と参照画像との間における所定領域の画素の画素値の変化を検出して、画素値の変化が検出された現画像の画素の画素値を変換することが出来るので、ホールド型表示装置の「動きぼけ」を改善し、かつ輝度の低下を軽減することができる。
【００１９】
また、かかる発明によれば、画素値変換部が、差分値又は動きベクトル量が検出された全ての画素を黒色値に変換するのではなく、第１のパターン又は第２のパターンで特定され、差分値又は動きベクトル量が所定の値よりも大きい現画像の画素のみを黒色値に変換することができる。
【００２０】
また、本発明第１の特徴において、画素値変換部が、検出部によって検出される所定領域の画素の画素値の差分値に基づいて算出される画素値に、現画像の画素値を変換してもよい。
【００２１】
また、本発明第１の特徴において、画素値変換部が、検出部によって検出される所定領域の画素の画素値の動きベクトル量に基づいて算出される画素値に、現画像の画素値を変換してもよい。かかる発明によれば、画素値変換部が、差分値又は動きベクトル量に基づいて算出される画素値に、現画像の画素値を適切に変換することができる。
【００２２】
本発明の第２の特徴は、コンピュータに、入力された現画像と参照画像との間における所定領域の画素の画素値の変化を検出する検出部と、
検出部で画素値の変化が検出された現画像の所定領域の画素の画素値を、所定のパターンに基づいて変換する画素値変換部とを具備する画像処理装置として機能させるプログラムであることを要旨とするものである。
【００２３】
かかる発明によれば、上述した画像処理装置として機能させるプログラムを、記憶媒体やネットワークを介してコンピュータに提供することができる。
【発明の効果】
【００２４】
以上説明したように、本発明によれば、液晶表示装置等のホールド型表示装置の「動きぼけ」を改善し、かつ輝度の低下を軽減する画像処理装置及びプログラムを提供することができる。
【発明を実施するための最良の形態】
【００２５】
（本発明の第１実施形態に係る画像処理装置の構成）
本発明の第１実施形態に係る画像処理装置１０の構成について、図１を参照して説明する。
【００２６】
図１は、かかる画像処理装置１０の構成と表示部１４を示すブロック図である。図１に示すように、かかる画像処理装置１０は、画像記憶部１１と、検出部１２と、画素値変換部１３とを具備する。
【００２７】
また、本実施形態に係る画像処理装置１０は、入力された画像を表示するための処理を行い、処理が行われた画像を当該表示部１４で順次表示することで、動画像を表示するように構成されている。
【００２８】
画像記憶部１１は、画像処理装置１０に入力されている画像の現画像と参照画像とを記憶するように構成されている。
【００２９】
ここで、現画像は、画像処理装置１０によって後述する処理が行われる対象の画像である。
【００３０】
また、参照画像は、現画像の直前に入力された画像（以下、直前画像）又は、直後に入力された画像（以下、直後画像）のいずれか一つの画像であってもよいし、直前画像と直後画像の両方であってもよい。
【００３１】
ここで、本実施形態において、主として、上述した参照画像は、直前画像である場合を例に以後説明する。
【００３２】
また、画像記憶部１１は、現画像が画素値変換部１３によって後述する画素値変換処理が実施される毎に、直後画像を現画像に変更するように構成されている。
【００３３】
検出部１２は、現画像と参照画像との間における共通の所定領域の画素の画素値の変化を検出するように構成されている。
【００３４】
具体的に、検出部１２は、現画像と参照画像との間における共通の所定領域の画素の画素値の変化を、画素値の差である差分値として検出するように構成されている。
【００３５】
ここで、共通の所定領域は、現画像と参照画像との間における同じ座標の画素の領域を示す。また、上述した所定領域は、例えば、１画素であってもよいし、画像を複数のブロック（例えば９画素の領域のブロック）に分けられた領域でもよい。
【００３６】
また、所定領域を上述したブロックとした場合、検出部１２は、各ブロック内の各画素の画素値の総和又は平均値を算出し、算出した画素値の総和又は平均値を各ブロックの画素値とし、現画像と参照画像との間において、ブロック毎の差分値を検出するように構成されている。
【００３７】
また、本実施形態においては、上述した所定領域が１画素である場合を例に説明する。また、検出部１２は、当該差分値を絶対値として検出するように構成されている。
【００３８】
なお、画像記憶部１１が、参照画像として直前画像と直後画像の両方の画像を記憶している場合、検出部１２は、現画像と直前画像及び直後画像との間における各画素の差分値をそれぞれ検出してもよい。また、もしも同じ画素において２つの差分値が検出された場合、検出部１２は、差分値が大きい方を当該画素の差分値として検出するように構成されている。
【００３９】
ここで、上述した現画像及び参照画像における画素の画素値は、ＹＵＶフォーマットにおける輝度（Ｙ）値又は色差（ＵＶ）値であってもよいし、ＲＧＢフォーマットにおけるＲ値又はＧ値又はＢ値であってもよい。
【００４０】
また、本実施形態において、当該画素値は、主として、ＹＵＶフォーマットにおける輝度値（例えば８ビットであり、０乃至２５５の値）である場合を例に説明する。
【００４１】
画素値変換部１３は、現画像における一つ又は複数の画素を特定する第１のパターンと、第１のパターンとは異なる一つ又は複数の画素を特定する第２のパターンとを記憶し、第１のパターン又は第２のパターンを交互に選択して現画像と参照画像との間における画素を特定し、特定した画素の中で、検出部１２で検出された差分値に基づいて、所定の値よりも大きい差分値が検出された現画像の画素の画素値を、黒色値に変換して黒色値の画素を含む現画像を生成する画素値変換処理を実施するように構成されている。
【００４２】
ここで、画素値変換部１３が記憶する第１のパターン及び第２のパターンについて、図２乃至図３を参照して説明する。
【００４３】
図２乃至図３は表示される画像のイメージ図であり、図２乃至図３において描かれている一つのマス（例えば座標のＨ１，Ｖ１）は画素を示している。
【００４４】
上述した画素を特定する第１のパターンは、例えば図２（１）に示すパターンで、画像の偶数行（垂直方向の偶数番目の画素）の画素を特定するものであり、第２のパターンは、例えば図２（２）に示すパターンで、画像の奇数行（垂直方向の奇数番目の画素）の画素を特定するものである。
【００４５】
なお、第１のパターンは、図３（１）に示すパターンで、第２のパターンは、図３（２）に示すパターンであってもよい。
【００４６】
具体的に、図３（１）に示す第１のパターンは、例えば、画像の奇数行（垂直方向の奇数番目の画素）かつ奇数列（水平方向の奇数番目の画素）の画素と、画像の偶数行（垂直方向の偶数番目の画素）かつ偶数列（水平方向の偶数番目の画素）とを特定するものである。
【００４７】
また、図３（２）に示す第２のパターンは、画像の偶数行（垂直方向の偶数番目の画素）かつ奇数列（水平方向の奇数番目の画素）の画素と、画像の奇数行（垂直方向の奇数番目の画素）かつ偶数列（水平方向の偶数番目の画素）の画素とを特定するものである。
【００４８】
よって、具体的に、画素値変換部１３は、画像記憶部１１に記憶されている現画像を取得するとともに、第１のパターン又は第２のパターンを選択して画素を特定する。そして、特定した画素の中で、検出部１２で検出された差分値に基づいて、所定の値よりも大きい差分値が検出された画素に対応する現画像の画素の画素値のみを黒色値に変換し、黒色値の画素を含む現画像を生成するように構成されている。
【００４９】
ここで、上述した所定の値は、予め定められた差分値の閾値であり、本実施形態においては、当該閾値が「５０」に設定されている場合を例に説明する。
【００５０】
また、上述した黒色値は、画素を黒色に表示する画素値であり、本実施形態においては、当該黒色値を画素値が「０」である場合を例に説明する。なお、上述した黒色値は、画素値が「０」乃至「１０」であってもよい。
【００５１】
また、画素値がＲＧＢフォーマットである場合、上述した黒色値は、Ｒ値又は、Ｇ値又は、Ｂ値の各画素値（例えば８ビットであり、０乃至２５５の値）が例えば「０」乃至「１０」であってもよい。
【００５２】
表示部１４は、画素値変換部１３で画素値変換処理によって生成された黒色値の画素を含む現画像を表示するように構成されている。
【００５３】
なお、コンピュータにインストールされているプログラムによって、画像処理装置１０を、画像記憶部１１と、検出部１２と、画素値変換部１３を具備する画像処理装置１０として機能させてもよい。
【００５４】
（本実施形態に係る画像処理装置の動作）
上記の構成を具備する画像処理装置１０の動作について、図４乃至図１１を参照して説明する。
【００５５】
図４は、本実施形態に係る画像処理装置１０及び表示部１４の動作を示すフローチャートである。
【００５６】
また、図５は、画像記憶部１１に記憶され、画素の領域ｎを有する現画像２１と、参照画像である画素の領域ｎ-1を有する直前画像２０イメージを示している。
【００５７】
また、図６乃至図９と図１１とは表示される画像のイメージ図であり、同図において描かれている一つのマス（例えば座標のＨ１，Ｖ１）は画素を示している。
【００５８】
図４のステップＳ１１０において、画像記憶部１１は、入力された現画像２１及び参照画像である直前画像２０を記憶する。
【００５９】
ステップＳ１２０において、検出部１２は、画像記憶部１１に記憶されている現画像２１及び直前画像２０との間における各画素の画素値の差分値を検出する。
【００６０】
具体的に、ステップＳ１２０における検出部１２の動作を、図６を参照して説明する。
【００６１】
また、図６（１）は、図５における現画像２１と直前画像２０とを重ねた画像のイメージ図である。また、図６（２）は、図６（１）に示す現画像２１と直前画像２０との間において差分値が生じている画素の領域を示す図である。
【００６２】
また、本実施形態においては、図６（２）に示される画素の領域３１における差分値＃１が「０」であり、画素の領域３２における差分値＃２が「２５」であり、画素の領域３３における差分値＃３が「５０」である場合を例に以降説明する。
【００６３】
検出部１２は、図６（２）に示すように、現画像２１及び直前画像２０との間において、差分値＃２「２５」の画素の領域３２と、差分値＃３の画素の領域３３とを検出する。
【００６４】
ここで、検出部１２は、画素の領域３１における差分値＃１は「０」であるため検出しない。
【００６５】
ステップＳ１３０において、画素値変換部１３は、記憶している第１のパターン及び第２のパターンから、例えば図２（１）に示す第１のパターンを選択する。
【００６６】
ステップＳ１４０において、画素値変換部１３は、ステップＳ１３０において選択した第１のパターンで、図７に示すように差分値＃２の画素の領域３４と、差分値＃３の画素の領域３５とを特定する。
【００６７】
ステップＳ１５０において、画素値変換部１３は、ステップＳ１４０において特定した画素の中の差分値に基づいて、閾値である「５０」以上の画素に対応する現画像２１の画素の画素値を、黒色値である「０」に変換することで、図８（１）に示すような黒色値の画素を含む現画像２１を生成する画素値変換処理を実施する。
【００６８】
具体的に、画素値変換部１３は、上述した画素値変換処理において、ステップＳ１４０において特定した画素の中の差分値に基づいて、閾値である「５０」以上の差分値＃３の画素の領域３５に対応する現画像２１の画素の画素値のみを、黒色値である「０」に変換し、差分値が閾値である「５０」未満である「２５」の差分値＃２の画素の領域３４については黒色値に変換せず、図８（１）に示すような黒色値の画素を含む現画像２１を生成する。
【００６９】
なお、ステップＳ１３０において、画素値変換部１３は、第２のパターンを選択した場合、図８（２）に示すような黒色値の画素を含む現画像２１を生成する画素値変換処理を実施する。
【００７０】
また、ステップＳ１３０において、画素値変換部１３は、第１のパターンとして、例えば、図３（１）に示すパターンを選択した場合、図９（１）に示すような黒色値の画素を含む現画像２１を生成する画素値変換処理を実施する。
【００７１】
さらに、ステップＳ１３０において、画素値変換部１３は、第２のパターンとして、例えば、図３（２）に示すパターンを選択した場合、図９（２）に示すような黒色値の画素を含む現画像２１を生成する画素値変換処理を実施する。
【００７２】
ステップＳ１６０において、表示部１４は、画素値変換部１３が生成した黒色値の画素を含む現画像２１を表示する。
【００７３】
（本実施形態に係る画像処理装置の作用・効果）
本実施形態に係る画像処理装置１０によれば、複数の画像によって構成される動画像において、現画像と参照画像との間における画素の中で、第１のパターン又は第２のパターンで特定された画素で、かつ所定の閾値以上の差分値が検出された画素に対応する現画像の画素の画素値を黒色値に変換し、黒色値の画素を含む現画像を生成することができるので、液晶表示装置等のホールド型表示装置の「動きぼけ」を改善し、かつ輝度の低下を軽減することができる。
【００７４】
（変更例１）
図１０乃至図１１を参照しながら、変更例1に係る画像処理装置１０について、第１実施形態に係る画像処理装置１０の構成及び動作との相違点に着目して説明する。
【００７５】
また、本実施形態に係る画像処理装置１０の構成は、画素値変換部１３の構成を除いて、第１実施形態に係る画像処理装置１０と同様である。
【００７６】
よって、本実施形態に係る画素値変換部１３の構成について説明する。
【００７７】
本実施形態に係る画素値変換部１３は、検出部１２によって検出される画素の画素値の差分値に基づいて算出される画素値に、現画像２１の画素の画素値を変換するように構成されている。
【００７８】
具体的に、画素値変換部１３は、検出部１２で検出された画素の画素値の差分値Ｄが、差分値Ｄ２の値以上である場合、当該画素に対応する現画像２１の画素の画素値を、黒色値である「０」に変換するように構成されている。
【００７９】
また、画素値変換部１３は、検出部１２で検出された画素の画素値の差分値Ｄが、差分値Ｄ１から差分値Ｄ２の範囲内である場合、当該画素に対応する現画像２１の画素の画素値を、当該画素の元の画素値＃１と画素値変換率Ｇとを乗算して算出した画素値＃２に変換するように構成されている。
【００８０】
また、画素値変換部１３は、検出部１２で検出された画素の画素値の差分値Ｄが、差分値Ｄ１未満である場合、当該画素に対しては、画素値の変換を行わないように構成されている。
【００８１】
なお、画素値がＲＧＢフォーマットである場合、画素値変換部１３は、検出部１２で検出された画素の画素値の差分値Ｄが、差分値Ｄ１から差分値Ｄ２の範囲内である場合、当該画素に対応する現画像２１の画素のＲ値及びＧ値及びＢ値の各画素値を、当該画素の元の画素値＃１と画素値変換率Ｇとを乗算して算出した画素値＃２に変換するように構成されていてもよい。
【００８２】
上述した画素値の差分値Ｄと画素値変換率Ｇの関係を図１０のグラフに示す。同図に示すように、上述した差分値Ｄ１及び差分値Ｄ２は、予め設定された差分値Ｄであり、差分値Ｄ１は、差分値Ｄ２よりも小さな値である。
【００８３】
また、上述した画素値変換率Ｇは、（式１）に基づいて算出される値である。
【００８４】
画素値変換率Ｇ＝１−（差分値Ｄ／差分値Ｄ２）  （Ｄ１≦Ｄ＜Ｄ２）
・・・（式１）
次に本実施形態に係る画像処理装置１０の動作について具体的な一例を挙げて説明する。図１１は本実施形態に係る画素値変換部１３における動作を具体的に示すフローチャートである。
【００８５】
また、本実施形態に係る画像処理装置１０の動作は、ステップＳ１５０の動作を除いて、第１実施形態に係る画像処理装置１０と同様である。よって、本実施形態に係る画像処理装置１０の動作について、図４と図６乃至図７と図１１乃至図１２とを参照しながら、ステップＳ１５０の動作を主として説明する。
【００８６】
ここで、本実施形態において、第１実施形態と同様に図６（２）に示される画素の領域３１における差分値＃１が「０」であり、画素の領域３２における差分値＃２が「２５」であり、画素の領域３３における差分値＃３が「５０」である場合を例に説明する。
【００８７】
また、本実施形態に係る画素値変換部１３は、差分値Ｄ１が例えば「１０」と設定され、差分値Ｄ２が例えば「５０」に設定されている場合を例に説明する。
【００８８】
また、現画像２１における画素の領域３４における画素の元の画素値＃１が、例えば「６０」である場合を例に説明する。
【００８９】
また、画素値変換部１３は、以下に説明するステップＳ１５１乃至ステップＳ１５５の動作を検出部１２で差分値Ｄが検出された各画素に対して行う。
【００９０】
ステップＳ１５１において、画素値変換部１３は、図４のステップＳ１４０において検出部１２で検出された差分値Ｄが、設定した「５０」である差分値Ｄ２以上であるか否かを判断する。
【００９１】
具体的に、画素値変換部１３は、差分値Ｄ２以上である「５０」の差分値＃３の画素の領域３５に対応する現画像２１の画素の画素値のみを、ステップＳ１５５において、黒色値である「０」に変換する。
【００９２】
ステップＳ１５２において、画素値変換部１３は、検出部１２で検出された差分値Ｄが、設定した差分値Ｄ１から差分値Ｄ２の範囲内の差分値Ｄであるか否か判断する。
【００９３】
具体的に、画素値変換部１３は、検出部１２で検出された差分値Ｄが、差分値Ｄ１から差分値Ｄ２の範囲内である「２５」の差分値＃２があることを判断する。
【００９４】
また、画素値変換部１３は、差分値Ｄ１未満の画素に対しては、画素値の変換を行わない。
【００９５】
ステップＳ１５３において、検出部１２で検出された差分値Ｄが、予め設定した差分値Ｄ１から差分値Ｄ２の範囲内の差分値Ｄと、予め設定した差分値Ｄ２とに基づいて画素値変換率Ｇを算出し、算出した画素値変換率Ｇと、検出された差分値Ｄの画素に対応する現画像の画素の画素値＃１とを乗算して画素値＃２を算出する。
【００９６】
具体的に、画素値変換部１３は、検出部１２で検出された差分値Ｄが差分値＃２の「２５」と、予め設定した差分値Ｄ２の「５０」とから、（式１）に基づいて、画素値変換率Ｇを「０.５」として算出する。
【００９７】
次に、画素値変換部１３は、差分値Ｄが差分値＃２の「２５」である画素の領域３４の画素に対応する現画像の画素の元の画素値＃１の「６０」と、算出した画素値変換率Ｇの「０.５」とを乗算し、現画像２１における画素の領域３４の画素値＃２を「３０」として算出する。
【００９８】
ステップＳ１５４において、画素値変換部１３は、算出した現画像２１における画素の領域３４の画素値＃１の「６０」を、算出した画素値＃２の「３０」に変換する。
【００９９】
そして、画素値変換部１３は、図１２に示すように、黒色値である画素と算出した画素値＃２である画素の領域３４とを含む現画像２１を生成する。
【０１００】
本変更例１に係る画像処理装置１０によれば、検出部１２によって検出される画素の画素値の差分値Ｄに基づいて、差分値Ｄが差分値Ｄ２以上の画素に対応する現画像２１の画素の画素値を黒色値に変換し、差分値Ｄ１および差分値Ｄ２の範囲内の画素に対応する現画像の画素の画素値に対しては、画素値＃２を算出して画素値を適切に変換することができるので、液晶表示装置等のホールド型表示装置の「動きぼけ」を改善し、かつ過剰な輝度の低下を軽減することができる。
【０１０１】
（変更例２）
変更例２に係る画像処理装置１０について、第１実施形態に係る画像処理装置１０の構成及び動作との相違点に着目して説明する。
【０１０２】
また、本実施形態に係る画像処理装置１０の構成及び動作は、検出部１２及び画素値変換部１３の構成及び動作を除いて、第１実施形態に係る画像処理装置１０と同様である。よって、本実施形態に係る検出部１２及び画素値変換部１３の構成について説明する。
【０１０３】
本実施形態に係る検出部１２は、現画像の所定領域における画素の画素値から、参照画像の所定領域における画素値を検索し、現画像の所定領域と参照画像の所定領域との間の変化量を、動きベクトル量として検出するように構成されている。
【０１０４】
ここで、上述した所定領域は、例えば、１画素であってもよいし、複数の画素の領域（例えば縦横３画素の９画素のブロック又は、例えば「車」等の画像の画素の領域）でもよい。
【０１０５】
具体的に、検出部１２は、図１３に示すように、現画像における画素の領域Ｂ２と画素値が類似する画素の領域を参照画像内で検索し、参照画像における画素の領域Ｂ１を検出するとともに、動きベクトル量Ｖを検出するように構成されている。
【０１０６】
なお、上述した所定領域が１画素である場合、検出部１２は、現画像における各画素の周囲差分値を検出して、現画像と参照画像との間の動きベクトル量を検出してもよい。
【０１０７】
上述した周辺差分値は、各画素における周辺の画素（例えば隣接する上下左右の画素）との画素値の差である。よって、検出部１２は、現画像の画素の周辺差分値と、参照画像の画素の周辺差分値とに基づいて、現画像と参照画像との間における当該周辺差分値が近似する画素を検出して、画素の動きベクトル量を検出するように構成されていてもよい。
【０１０８】
画素値変換部１３は、現画像における一つ又は複数の画素を特定する第１のパターンと、第１のパターンとは異なる一つ又は複数の画素を特定する第２のパターンとを記憶し、第１のパターン又は第２のパターンを交互に選択して現画像と参照画像との間における画素を特定し、特定した画素の中で、検出部１２で検出された動きベクトル量に基づいて、所定の値よりも大きい動きベクトル量が検出された現画像の画素の画素値を黒色値に変換し、黒色値の画素を含む現画像を生成する画素値変換処理を実施するように構成されている。
【０１０９】
具体的に、画素値変換部１３は、画像記憶部１１に記憶されている現画像を取得するとともに、第１のパターン又は第２のパターンを選択して画素を特定する。
【０１１０】
そして、特定した画素の中で、検出部１２で検出された動きベクトル量に基づいて、所定の値よりも大きい動きベクトル量が検出された画素の領域に対応する現画像の画素の画素値のみを黒色値に変換し、黒色値の画素を含む現画像を生成するように構成されている。ここで、上述した所定の値は、予め定められた動きベクトル量の閾値である。
【０１１１】
なお、コンピュータにインストールされているプログラムによって、本実施形態に係る画像処理装置１０を、画像記憶部１１と、検出部１２と、画素値変換部１３を具備する画像処理装置１０として機能させてもよい。
【０１１２】
次に本実施形態に係る画像処理装置１０の動作について、図４を参照して説明する。ここで、かかる画像処理装置１０の動作は、図４に示すステップＳ１２０乃至Ｓ１５０の動作を除いて第１実施形態に係る画像処理装置１０の動作と同様である。したがって、図４に示すステップＳ１２０乃至Ｓ１５０について説明する。
【０１１３】
また、第１実施形態に係る検出部１２は、差分値を検出するように構成されていたが、本実施形態に係る検出部１２は、動きベクトル量を検出するように構成されている。
【０１１４】
ステップＳ１２０において、検出部１２は、現画像における画素の領域Ｂ２と、画素値が類似する画素の領域を参照画像内で検索し、参照画像における画素の領域Ｂ１を検出するとともに、動きベクトル量Ｖを検出する。
【０１１５】
ステップＳ１３０において、画素値変換部１３は、画像記憶部１１に記憶されている現画像を取得するとともに、第１のパターン又は第２のパターンを選択する。
【０１１６】
ステップＳ１４０において、画素値変換部１３は、ステップ１３０で選択した第１のパターン又は第２のパターンにより画素を特定する。
【０１１７】
ステップＳ１５０において、画素値変換部１３は、ステップＳ１４０において特定した画素の中で、閾値よりも大きい動きベクトル量が検出された画素の領域に対応する現画像の画素の画素値のみを黒色値に変換し、黒色値の画素を含む現画像を生成するように構成されている。
【０１１８】
本実施形態に係る画像処理装置１０によれば、所定の閾値以上の動きベクトル量が検出された画素の領域に対応する現画像の画素の画素値を黒色値に変換し、黒色値の画素を含む現画像を生成することができるので、液晶表示装置等のホールド型表示装置の「動きぼけ」を改善し、かつ輝度の低下を軽減することができる。
【０１１９】
（変更例３）
変更例３に係る画像処理装置１０について、変更例１乃至変更例２に係る画像処理装置１０の構成及び動作との相違点に着目して説明する。
【０１２０】
また、本実施形態に係る画像処理装置１０の構成は、画素値変換部１３の構成を除いて、変更例２に係る画像処理装置１０と同様である。
【０１２１】
また、本実施形態に係る画素値変換部１３は、変更例１に係る画素値変換部１３の構成と類似する。即ち、変更例１に係る画素値変換部１３は、変更例１に係る検出部１２で検出された差分値に基づいて、現画像の画素の画素値を変換するように構成されていたが、本実施形態に係る画素値変換部１３は、本実施形態に係る検出部１２で検出されたベクトル量に基づいて、現画像の画素の画素値を変換するように構成されている。
【０１２２】
本実施形態に係る画素値変換部１３の構成について説明する。
【０１２３】
本実施形態に係る画素値変換部１３は、検出部１２によって検出される画素の領域の動きベクトル量に基づいて算出される画素値に、現画像２１の画素の画素値を変換するように構成されている。
【０１２４】
具体的に、画素値変換部１３は、検出部１２で検出された動きベクトル量Ｖが、動きベクトル量Ｖ２の値以上である場合、当該画素の領域に対応する現画像の画素の画素値を、黒色値である「０」に変換するように構成されている。
【０１２５】
また、画素値変換部１３は、検出部１２で検出された画素の領域の動きベクトル量Ｖが、動きベクトル量Ｖ１乃至Ｖ２の範囲内である場合、当該画素の領域に対応する現画像の画素の画素値を、現画像の画素の元の画素値＃１と画素値変換率Ｇとを乗算して算出した画素値＃２に変換するように構成されている。
【０１２６】
また、画素値変換部１３は、検出部１２で検出された画素の領域の動きベクトル量Ｖが、動きベクトル量Ｖ１未満である場合、当該画素の領域に対しては、画素値の変換を行わないように構成されている。
【０１２７】
ここで、上述した動きベクトル量Ｖ１及び動きベクトル量Ｖ２は、予め設定された動きベクトル量Ｖであり、動きベクトル量Ｖ１は、動きベクトル量Ｖ２よりも小さな値である。
【０１２８】
また、上述した画素値変換率Ｇは、変更例１の（式１）における差分値Ｄを動きベクトル量Ｖに置き換えることで算出される値である。
【０１２９】
次に、本実施形態に係る画像処理装置１０の動作について図１１を参照して説明する。ここで、図１１は、変更例１に係る画素値変換部１３が変更例１に係る検出部１２で検出される差分値Ｄに基づいて行う動作を示すフローチャートであるが、同図を用いて、本実施形態に係る画素値変換部１３が、差分値Ｄではなく、動きベクトル量Ｖに基づいて行う動作について説明する。
【０１３０】
ステップＳ１５１において、画素値変換部１３は、検出部１２で検出された動きベクトル量Ｖが、設定した動きベクトル量Ｖ２以上であるか否かを判断する。
【０１３１】
具体的に、画素値変換部１３は、動きベクトル量Ｖ２以上である画素の領域に対応する現画像２１の画素の画素値のみを、ステップＳ１５５において、黒色値である「０」に変換する。
【０１３２】
ステップＳ１５２において、画素値変換部１３は、検出部１２で検出された動きベクトル量Ｖが、設定した動きベクトル量Ｖ１から動きベクトル量Ｖ２の範囲内の動きベクトル量Ｖであるか否か判断する。
【０１３３】
また、画素値変換部１３は、動きベクトル量Ｖ１未満の画素に対しては、画素値の変換を行わない。
【０１３４】
ステップＳ１５３において、画素値変換部１３は、検出部１２で検出された動きベクトル量Ｖと、予め設定した動きベクトル量Ｖ２とに基づいて画素値変換率Ｇを算出し、算出した画素値変換率Ｇと、検出された動きベクトル量Ｖの画素に対応する現画像の画素の画素値＃１とを乗算して画素値＃２を算出する。
【０１３５】
具体的に、画素値変換部１３は、検出部１２で検出された動きベクトル量Ｖと、予め設定した動きベクトル量Ｖ２、（式１）に基づいて、画素値変換率Ｇを算出する。
【０１３６】
次に、画素値変換部１３は、動きベクトル量Ｖの画素の領域に対応する現画像の画素の元の画素値＃１と、算出した画素値変換率Ｇとを乗算し、現画像２１における画素の領域の画素値＃２を算出する。
【０１３７】
ステップＳ１５４において、画素値変換部１３は、算出した現画像における画素の領域の画素値＃１を、算出した画素値＃２に変換する。
【０１３８】
そして、画素値変換部１３は、黒色値である画素と、算出した画素値＃２である画素の領域とを含む現画像を生成する。
【０１３９】
本変更例３に係る画像処理装置１０よれば、検出部１２によって検出される所定領域の動きベクトル量Ｖに基づいて、動きベクトル量Ｖが、動きベクトル量Ｖ２以上の画素に対応する現画像２１の画素の画素値を黒色値に変換するとともに、動きベクトル量Ｖが、動きベクトル量Ｖ１および動きベクトル量Ｖ２の範囲内である画素に対応する現画像の画素の画素値に対しては、画素値＃２を算出して画素値を適切に変換することができるので、液晶表示装置等のホールド型表示装置の「動きぼけ」を改善し、かつ過剰な輝度の低下を軽減することができる。
【図面の簡単な説明】
【０１４０】
【図１】本実施形態に係る画像処理装置１０の構成を示すブロック図である。
【図２】（１）本実施形態に係る画像処理装置１０における第１のパターンを示す図である。（２）本実施形態に係る画像処理装置１０における第２のパターンを示す図である。
【図３】（１）本実施形態に係る画像処理装置１０における第１のパターンを示す図である。（２）本実施形態に係る画像処理装置１０における第２のパターンを示す図である。
【図４】本実施形態に係る画像処理装置１０及び表示部１４の動作を示すフローチャートである。
【図５】本実施形態に係る画像処理装置１０の現画像２１と参照画像である直前画像２０を示すイメージ図である。
【図６】（１）本実施形態に係る画像処理装置１０の現画像２１に直前画像２０を重ねたイメージ図である。（２）本実施形態に係る画像処理装置１０の現画像２１に直前画像２０における差分値を示す図である。
【図７】本実施形態に係る画像処理装置１０の現画像２１に直前画像２０における画素の領域と差分値を示す図である。
【図８】（１）本実施形態に係る画像処理装置１０における画素値変換処理を実施した現画像２１示すイメージ図である。（２）本実施形態に係る画像処理装置１０における画素値変換処理を実施した現画像２１示すイメージ図である。
【図９】（１）本実施形態に係る画像処理装置１０における画素値変換処理を実施した現画像２１示すイメージ図である。（２）本実施形態に係る画像処理装置１０における画素値変換処理を実施した現画像２１示すイメージ図である。
【図１０】本実施形態に係る画像処理装置１０における画素値変換率Ｇと差分値Ｄとの関係を示すグラフである。
【図１１】本実施形態に係る画像処理装置１０における画素値変換率Ｇを用いた画素値変換処理のフローチャートを示す図である。
【図１２】本実施形態に係る画像処理装置１０における画素値変換率Ｇを用いた画素値変換処理を実施した現画像２１示すイメージ図である。
【図１３】本実施形態に係る画像処理装置１０における検出部１２で検出される動きベクトル量Ｖを示すイメージ図である。
【図１４】従来技術における黒画像挿入技術を示すイメージ図である。
【符号の説明】
【０１４１】
１０…画像処理装置、１１…画像記憶部、１２…検出部、１３…画素値変換部、１４…表示部、２０…直前画像、２１…現画像、３１…差分値＃１の画素の領域、３２…差分値＃２の画素の領域、３３…差分値＃３の画素の領域、３４…差分値＃２の画素の領域、３５…差分値＃３の画素の領域、Ｄ…差分値、Ｄ１…差分値、Ｄ２…差分値、Ｖ…動きベクトル量、Ｖ１…動きベクトル量、Ｖ２…動きベクトル量、Ｂ１…画素の領域、Ｂ２…画素の領域、ｎ…現画像に描かれている画像、ｎ−１…直前画像に描かれている画像
【図１】
2007101694.tif 000003
【図４】
2007101694.tif 000004
【図５】
2007101694.tif 000005
【図６】
2007101694.tif 000006
【図７】
2007101694.tif 000007
【図８】
2007101694.tif 000008
【図９】
2007101694.tif 000009
【図１０】
2007101694.tif 000010
【図１１】
2007101694.tif 000011
【図１３】
2007101694.tif 000012
【図１４】
2007101694.tif 000013
【図２】
2007101694.tif 000014
【図３】
2007101694.tif 000015
【図１２】
2007101694.tif 000016